(57)【要約】      （修正有）【課題】気管内チューブが患者の気管に挿入する過程において、誘導スタイレットの先端或いは気管内チューブの先端が患者を損傷するような事態を避け、同時に気管内チューブを気管に挿入する正確率を高めることができる喉頭鏡を提供する。【解決手段】ブレード１０とカメラと表示部と誘導スタイレット４０とを含む喉頭鏡であって、ブレード１０は、カメラ収容部１１と気管内チューブ９０の経路１２と誘導溝１３とを含み、誘導溝１３がカメラ収容部１１と気管内チューブ９０の経路１２の間に位置する。カメラは、カメラ収容部１１に設けられ、表示部がカメラと電気的に接続する。誘導スタイレット４０は、気管内チューブ９０内に嵌め込まれ、且つ誘導部材４１２を包括し、誘導部材４１２が誘導溝１３から離脱できるよう設けられ、且つ誘導溝１３に対して移動できる。【選択図】図５
0003209757.tif 000002
【実用新案登録請求の範囲】
【請求項１】
気管内チューブを人体に入れるための喉頭鏡であって、
カメラ収容部と、気管内チューブの経路と、前記カメラ収容部と前記気管内チューブの経路の間に位置する誘導溝と、を含むブレードと、
一部が前記カメラ収容部に設けられたカメラと、
前記カメラと電気的に接続する表示部と、
前記気管内チューブ内に嵌め込まれ、且つ誘導部材を包括し、前記誘導部材が前記気管内チューブから突出し、且つ前記誘導溝から離脱できるよう設けられ、また前記誘導溝に対して移動できる誘導スタイレットと、
を含むことを特徴とする喉頭鏡。
【請求項２】
前記ブレードは、舌片を包括し、前記舌片が下表面を有し、前記カメラ収容部、前記気管内チューブの経路及び前記誘導溝がいずれも前記下表面と接触することを特徴とする請求項１に記載の喉頭鏡。
【請求項３】
前記誘導溝は、第１長さを有し、前記カメラが前記カメラ収容部に収容されることで第２長さを有し、前記第１長さが第２長さと等しいか又は長いことを特徴とする請求項２に記載の喉頭鏡。
【請求項４】
前記舌片は、第３長さを有し、前記第３長さが第１長さより長いことを特徴とする請求項３に記載の喉頭鏡。
【請求項５】
前記誘導溝は、第１開口部と第２開口部とを備え、前記第１開口部の口径が第２開口部の口径より大きいことを特徴とする請求項１〜４のいずれか一項に記載の喉頭鏡。
【請求項６】
前記誘導スタイレットは、主体を更に含み、前記誘導部材が連結部材と他の誘導部材とを含み、前記連結部材の対向する両端が各々前記主体の一端及び前記他の誘導部材に連接することを特徴とする請求項５に記載の喉頭鏡。
【請求項７】
前記誘導部材は、球状を呈することを特徴とする請求項６に記載の喉頭鏡。
【請求項８】
前記連結部材の軸心方向と前記主体の軸心方向とが、交角θを有することを特徴とする請求項６に記載の喉頭鏡。
【請求項９】
前記交角θは、１７５度〜９５度とすることを特徴とする請求項８に記載の喉頭鏡。
【考案の詳細な説明】
【技術分野】
【０００１】
本考案は、喉頭鏡に関し、特に、誘導溝と誘導スタイレットを設けた喉頭鏡に関する。
【背景技術】
【０００２】
呼吸停止患者にとって、気管挿管は、呼吸機能を維持するために必要な手段であり、患者の生命を維持するため、医療従事者は、短時間内に気管内チューブを患者の気管内に挿入して酸素を供給しなければならない。しかしながら、異なる年齢や体型における患者の上気道構造に差があるため、医療従事者は、時に患者の気管位置を直接観察することが難しくなっていた。よって、現在幅広く利用されている喉頭鏡の多くは、撮影装置を気管内チューブの経路の側辺に取り付け、医療従事者が撮影装置を通じて患者の気管入口部を視認してから気管内チューブを撮影装置側辺の気管内チューブの経路を経由して患者の気管内に押し込む。
【０００３】
しかしながら、このタイプの喉頭鏡は、使用上やはり不便なところがあり克服される必要がある。時に患者の身体構造の差という制限を受け、気管内チューブの経路が患者の口内の肥大した軟組織、腫れた扁桃腺等に邪魔されることにより、医療従事者が気管内チューブを気管内チューブの経路を経由して患者の気管内にスムーズに挿入できない、或いは挿入過程中に気管内チューブの先端が喉頭付近の軟組織に傷を付ける。現在の喉頭鏡は、気管内チューブの進行方向を特に制御せず、気管挿管過程中において、気管内チューブが任意に患者の上気道に入ることで、挿管過程中の気管内チューブの患者の上気道組織に対する傷害が増え、現在若干の医学関連の文献において気管内チューブが患者の気道を損傷する問題に言及し、これにより現在使用されている気管挿管器具を改良する必要性が確かにある。
【考案の概要】
【考案が解決しようとする課題】
【０００４】
本考案は、誘導溝と誘導スタイレットを設けた喉頭鏡を提供することを主な目的とする。
【課題を解決するための手段】
【０００５】
上記目的を達成するため、本考案の喉頭鏡は、ブレードとカメラと表示部と誘導スタイレットとを含む。ブレードは、カメラ収容部と気管内チューブの経路と誘導溝とを含み、誘導溝がカメラ収容部と気管内チューブの経路の間に位置する。カメラは、カメラ収容部に設けられ、表示部がカメラと電気的に接続する。誘導スタイレットは、気管内チューブ内に嵌め込まれ、且つ誘導部材を包括し、誘導部材が誘導溝から離脱できるよう設けられ、且つ誘導溝に対して移動できる。
【考案の効果】
【０００６】
誘導溝と誘導スタイレットの設計を通じて、誘導スタイレットの先端の移動範囲を制限すると共に気管内チューブの先端の進行方向を制御できることで、従来技術内で言及されていた、気管内チューブが患者の気管に挿入する過程において、誘導スタイレットの先端或いは気管内チューブの先端が患者を損傷するような事態を避け、同時に気管内チューブを気管に挿入する正確率を高めることができる。
【図面の簡単な説明】
【０００７】
【図１】本考案の喉頭鏡の一実施例を示す模式図である。
【図２】（Ａ）はブレード・カメラ及び誘導スタイレットの分解図である。（Ｂ）は誘導スタイレットの部分拡大図である。
【図３】誘導スタイレットが誘導溝内で移動する様子を示す模式図である。
【図４】誘導スタイレットが誘導溝内で移動する様子を示す模式図である。
【図５】誘導スタイレットが誘導溝から離脱した様子を示す模式図である。
【考案を実施するための形態】
【０００８】
審査官に本考案の技術内容を更に理解してもらうため、以下に好ましい実施例を挙げて説明する。以下、図１、図２Ａ、図２Ｂ、図３乃至図５の本考案に係る喉頭鏡の一実施例を示す模式図、ブレード・カメラ及び誘導スタイレットの分解図、ブレード・カメラ及び誘導スタイレットの断面図、ブレード・カメラ及び誘導スタイレットを示す模式図及び誘導スタイレットが誘導溝内で移動する様子を示す模式図を参照しながら説明する。
【０００９】
図１、図２Ａ及び図３に示すように、本考案の喉頭鏡１は、ブレード１０とカメラ２０と表示部３０と誘導スタイレット４０とを含む。本実施例において、ブレード１０は、カメラ収容部１１と気管内チューブの経路１２と誘導溝１３とを含み、誘導溝１３がカメラ収容部１１と気管内チューブの経路１２の間に位置し、カメラ収容部１１は一部のカメラ２０を収容するために用いられ、表示部３０がカメラ２０で撮影した映像を表示するため、カメラ２０に電気的に接続する。誘導スタイレット４０は、気管内チューブ９０内に嵌め込まれることで、気管内チューブ９０の進行方向を制御すると共に気管内チューブ９０が気管内チューブの経路１２で移動している時、気管内チューブ９０の先端９１を誘導溝１３の方向に向かって移動するよう維持させるよう誘導し、これを介して気管内チューブを気管経路１２から離脱した後、慣性を通じて気管内チューブ９０の先端９１方向を保持して気管内チューブ９０が患者の気管に挿入された時、誘導スタイレットの先端９１或いは気管内チューブ９０の先端が患者を損傷するような事態を避け、同時に気管内チューブ９０を気管に挿入する正確率も高める。
【００１０】
図１、図３及び図４に示すように、カメラ２０の一部がカメラ収容部１１に設けられ、カメラ２０は撮影側２１及び電気的な接続側２２とを含む。表示部３０がカメラ２０と電気的に接続する。図２Ｂに示すように、誘導スタイレット４０は、誘導部材４１を包括し、誘導部材４１が誘導溝１３から離脱できよう設けられ、且つ誘導溝１３に対して移動できる（図３乃至図５）。ここで留意すべき点は、カメラ２０と表示部３０は、従来技術で且つこの２つの構成要素が本考案の改良箇所でないため、その関連の説明を省略する。
【００１１】
図１、図２Ａ及び図２Ｂに示すように、本実施例において、ブレード１０は、舌片１４を包括し、該舌片１４が上表面１４１と下表面１４２とを含み、カメラ収容部１１、気管経路１２及び誘導溝１３がいずれも下表面１４２と接触し、且つ誘導溝１３がカメラ収容部１１と気管経路１２の間に位置する。図２Ａに示すように、誘導溝１３は第１開口部１３１と第２開口部１３２とを備え、誘導部材４１が誘導溝１３に入ると共に誘導溝１３内で移動するため、第１開口部１３１の口径が第２開口部１３２の口径より大きい。
【００１２】
図１及び図２Ｂに示すように、本実施例において、誘導スタイレット４０は主体４２を更に含み、誘導スタイレット４０を気管内チューブ内に嵌め込んだ時、主体４２の大部分が気管内チューブ９０内に位置し、誘導部材４１が連結部材４１１と誘導部材４１２とを含み、連結部材４１１の対向する両端が各々主体４２の一端及び誘導部材４１２に連接する。図２Ｂに示すように、本実施例において、誘導部材４１２は球状を呈し、且つ誘導溝１３から離脱できるよう設けられ、誘導溝１３に対して移動できる（図３乃至図５）。図２Ｂに示すように、本実施例において、連結部材４１１の軸心方向と主体４２の軸心方向とが交角θを有し、交角θは１７５度〜９５度としているが、本考案はこれに限られることなく、連結部材４１１と主体４２が同一軸線上になく、誘導部材４１２を誘導溝１３に近づける方向に向けて設けるだけでよい。
【００１３】
図２Ａに示すように、本実施例において、誘導溝１３は、第１長さＬ１を有し、カメラ２０がカメラ収容部１１に収容されることで第２長さＬ２を有し、第１長さＬ１が第２長さＬ２と等しいか又は長いことで、操作者が患者の気管を明確に視認してから誘導スタイレット４０と気管内チューブ９０を押動するよう確保し、これを介して挿管の正確率を高め、且つ気管内チューブ９０の移動によりカメラ２０の撮影視野を邪魔して操作者に患者の気管の正確位置を視認できないことで、挿管の失敗或いは誤って患者を損傷するといった事態が起きるのを避けることができる。このほかに、図２Ａに示すように、舌片１４は第３長さＬ３を有し、第３長さＬ３が第１長さＬ１より長い。
【００１４】
図３乃至図５に示すように、誘導スタイレット４０の誘導部材４１２は、第１開口部１３１から誘導溝１３に入って誘導溝１３に沿って移動し、そして第２開口部１３２より誘導溝１３から離脱し、これを介して気管内チューブ９０の先端９１を誘導溝１３の方向に向けて移動させるよう保持して気管内チューブ９０が患者の気管に入った時、気管内チューブ９０の先端が患者を損傷するような事態を軽減し、同時に気管挿管の正確率も高める。
【産業上の利用可能性】
【００１５】
本考案の喉頭鏡１は、誘導溝１３と誘導スタイレット４０の組み合わせを通じて、操作者に患者の気管の正確な位置を明確に視認させてから誘導部材４１を誘導溝１３の第１開口部１３１に入らせると共に第２開口部１３２に移動した後で誘導溝１３から離脱し、これを通じて気管挿管の正確率を高め、気管内チューブ９０が気管内チューブの経路１２で移動した時、誘導スタイレットの先端又は気管内チューブ９０の先端が患者を損傷するような事態を軽減する。
【００１６】
ここで留意すべき点は、上述になされた実施例があくまでも本考案の技術内容を明らかにするものであって、そのような具体例に限定して解釈されるべきものではなく、本考案の基本原理から逸脱することなく上記の実施形態を様々に変更できるのは、本願が主張する権利範囲に属し、実用新案登録請求の範囲に準じる。
【符号の説明】
【００１７】
１ 喉頭鏡
１０ ブレード
１１ カメラ収容部
１２ 気管内チューブの経路
１３ 誘導溝
１３１ 第１開口部
１３２ 第２開口部
１４ 舌片
１４１ 上表面
１４２ 下表面
２０ カメラ
２１ 撮影側
３０ 表示部
４０ 誘導スタイレット
４１ 誘導部材
４１１ 連結部材
４１２ 誘導部材
４２ 主体
９０ 気管内チューブ
９１ 尖端
Ｌ１ 第１長さ
Ｌ２ 第２長さ
Ｌ３ 第３長さ
θ 交角
【図１】
0003209757.tif 000003
【図２】
0003209757.tif 000004
【図３】
0003209757.tif 000005
【図４】
0003209757.tif 000006
【図５】
0003209757.tif 000007